(57)【要約】      （修正有）【課題】所定の人又は企業へ販売する商品や提供するサービスを表示したチラシと、粗品としてのマスクを同封して郵送するダイレクトメール用封筒を提供する。【解決手段】ダイレクトメール用封筒は受取人表示部６と送り主表示部７を設けた封筒１を構成し、封筒にはマスク２、販売商品又は提供するサービスを説明すると共に挨拶文を記載したチラシ３、及び受取人表示と送り主表示を記載した宛名台紙４を同封している。【選択図】図１
0003228928.tif 000002
【実用新案登録請求の範囲】
【請求項１】
所定の人又は企業へ販売する商品や提供するサービスを表示したチラシを郵送するダイレクトメールにおいて、該ダイレクトメールは受取人表示部と送り主表示部を設けた封筒を構成し、該封筒にはマスク、販売商品又は提供するサービスを説明すると共に挨拶文を記載したチラシ、及び受取人表示と送り主表示を記載した宛名台紙を同封したことを特徴とするマスクを収容したダイレクトメール用封筒。
【請求項２】
上記チラシの表面には挨拶文を記載し、裏面には販売する商品の説明又は提供するサービスの内容を記載した請求項１記載のダイレクトメール用封筒。
【請求項３】
上記チラシを２枚とし、一方に挨拶文を記載し、他方には販売する商品の説明又は提供するサービスの内容を記載した請求項１記載のダイレクトメール用封筒。
【請求項４】
上記封筒の受取人表示部と送り主表示部を透明シートで構成し、宛名台紙に記載した受取人の住所、氏名、及び送り主の住所、氏名が受取人表示部と送り主表示部を通して見えるようにした請求項１、請求項２、又は請求項３記載のダイレクトメール用封筒。
【請求項５】
道行く人などの不特定の人に販売する商品や提供するサービスを表示したチラシ入れて配る封筒において、該封筒にはマスク、販売商品又は提供するサービスを説明すると共に挨拶文を記載したチラシを同封したことを特徴とするマスクを収容して配布する封筒。
【考案の詳細な説明】
【技術分野】
【０００１】
本考案は販売する商品や提供するサービスを表示したチラシをマスクと共に配布する封筒に関するものである。
【背景技術】
【０００２】
会社を宣伝（ＰＲ）したり、また新たに開発して販売する新商品を宣伝する為の方法は色々知られている。近年、最も一般的で多用されている方法はテレビコマーシャルであると思われる。また、インターネット上に掲載されるホームページもある。さらに、新聞に添付して配布される折り込みチラシも多用されている。
一方、ダイレクトメールにて商品及びサービスを説明したチラシを収容した封筒を郵送する場合もある。
【０００３】
このように、販売する商品を宣伝する為の方法は色々あるが、各々に一長一短があり、所定の商品やサービスを宣伝するに最も適した方法が採用されている。
宣伝する手段として、一度に多くの人々に伝えることが出来る方法はテレビコマーシャルであろうが、しかしテレビコマーシャルは料金が高額となり、中小企業や特に個人企業にとっては、金額的に大きな負担となる。
【０００４】
インターネット上に独自のホームぺージを掲載する方法も近年では多用されている宣伝手段であり、インターネットを介して全世界の人々に理論上届けることは出来るが、無数のホームページがインターネット上に存在する今日、人の目に留まることは容易でない。
その為に、特別に開発したソフトを使用するなどの工夫が求められる。
例えば、特開２００２−１１７３２６号に係る「インターネット広告システム」は、インターネット広告を消費者の関心の高い情報提供媒体にすることで、店頭販売を中心とした小売販売店が新聞広告や新聞折り込みチラシによる広告宣伝とほぼ同様の効果を得ることが出来るようにしている。
【０００５】
広告情報取り扱い代理店により集められた小売販売店単位のセール情報をインターネットを介して管理運用システムへ入力する。入力されたデータを管理運用システムは商品単位の情報として管理運用し、情報提供サイトへ反映する。
消費者は消費者側端末を使い、インターネットを介して情報提供サイトへアクセスし、所望の商品情報を得るために地域−商品群−商品分類それぞれの選択画面で選択作業を行う。選択結果から類似商品の一覧表が表示されるので、この一覧表でメーカー名や価格などの並べ替えを行いながら目的の商品情報を比較検討が出来ることでサイトへのアクセス件数が期待される。
【０００６】
特開２００３−３３７８９６号に係る「商品の販売システム」は、各地域に点在する小売店の在庫商品の発生を回避し、かつ販売ルートを有効に活用することにより、商品販売者の情報を需要者に伝達させ、商品販売者と需要者と情報宣伝者の三者間により行われるシステムである。
【０００７】
すなわち、インターネットに接続されたホームページを利用して商品を販売する商品販売者と、該ホームページにアクセスして商品を購入する需要者と、ホームページの情報を需要者に伝える情報宣伝者の三者間において行われる商品販売システムであって、商品販売者が作成するチラシを情報宣伝者が無料又は有料で取得し、当該情報宣伝者が需要者にチラシを配布し、当該チラシの各情報に基づき需要者が、商品販売者が開設するインターネットの情報通信網に接続された商品販売用ホームページにアクセスすることにより商品を購入した場合、商品販売者から情報宣伝者に対し、需要者購入金額の一定割合の金額が送金されるようにしている。
【０００８】
【特許文献１】特開２００２−１１７３２６号に係る「インターネット広告システム」
【特許文献２】特開２００３−３３７８９６号に係る「商品の販売システム」
【考案の開示】
【考案が解決しようとする課題】
【０００９】
このように、商品を販売する為の宣伝・広告方法は色々知られており、近年では全世界に普及したインターネットを利用して商品の販売を促進しようとする試みが多く、それなりの効果はあると思われる。
本考案はこのようなインターネットを利用する方法ではなく、顧客の心を掴むために、手軽で有用な物品（粗品）を封筒に収容して配布する販売システムである。
【課題を解決するための手段】
【００１０】
本考案は、粗品を封筒に収容して配布するものであり、粗品として衛生マスクを使用する。従来から道行く人に配る粗品としてティッシュは多用されているが、該ティッシュは安っぽくて、配布主が誰か分らないままでゴミ箱に放棄される場合が多く、近年では宣伝や広告としての効果は少ない。
今日、感染力が強い新型コロナが全世界に広がり、その為に外出する際にはマスクを着用することが必要とされている。マスクにもその種類は色々あるが、伸縮性に優れた生地であれば、所定の形状に裁断して中央を縫い合わせるだけで簡単に製作することが出来る。勿論、マスクの種類並びに形態は限定しない。
【００１１】
ところで、マスクを透明な袋に入れ、宣伝・広告用のチラシ、及び挨拶文などを封筒に同封して郵送する。又は郵送することなく道行く不特定多数の人に配布することも出来る。
ここで、上記宣伝・広告用チラシには販売する商品を記載し、又は飲食店であるならば店舗の住所が分かるように地図を表示する。そして、電話番号、ドメインを記述する場合もある。
【考案の効果】
【００１２】
粗品としてマスクを配布することで、ティッシュのように捨てられることはほとんどなく、受け取った人は有効に使用する。勿論、ティッシュよりコストは多少高くなるが、宣伝・広告の効果を発揮する上では効果的であるといえる。
そして、マスクと共に同封されるチラシには、販売する商品、又は提供するサービス内容が詳細に記載され、さらにはドメインを表示するならば、インターネットを介して、さらなる詳細を提供することが可能である。
さらには、上記チラシの他に挨拶文を記載した書面が同封されることで、単に宣伝・広告を目的とした封書とは趣を異にし、顧客の心を掴むことが出来る。
【図面の簡単な説明】
【００１３】
【図１】ダイレクトメール用として、受取人の住所・氏名、及び送り主の住所と名称を記載した宛名台紙と、マスク、及び販売商品又は提供するサービスを説明したチラシを入れる封筒を示す実施例。
【図２】マスクと販売商品又は提供するサービスを説明したチラシを入れて不特定の人に配布する封筒を示す実施例。
【考案を実施するための形態】
【００１４】
図１は本考案の実施例であり、マスクを収容する封筒を表している。同図の１は封筒、２はマスク、３はチラシ、４は宛名台紙を夫々示しており、マスク２は透明な袋５に収まっている。
上記宛名台紙４には受取人の住所・氏名が記載され、また、送り主の住所と名称を記載している。そして、長方形をした封筒１には透明シートを貼着した受取人表示部６と送り主表示部７が設けられ、所定の長方形サイズを有す上記宛名台紙４を封筒に挿入することで、宛名台紙に記載している受取人の住所・氏名、及び送り主の住所と名称は、受取人表示部６と送り主表示部７を通して表面化する。
【００１５】
ところで、上記マスク２は、両耳掛け紐を折畳んで透明袋５に収容されている。マスク２にも色々な形態があるが、例えば伸縮性に優れた生地を所定の形状に裁断し、裁断した２枚を縫い合わせることで簡単に製作することも可能である。
一方、上記チラシ３に記載する内容は特に限定されないが、販売する商品を宣伝・広告する為の文言が記載される。また、飲食店やレストラン、金融業や建築業を行う業者であれば提供するサービスの内容を具体的に記述することが出来る。
【００１６】
一方、上記チラシ３には宣伝及び広告の内容に限らず、挨拶文を記載している。挨拶文として記載される具体的な文言・内容は自由であるが、その時々の時勢を織り交ぜた内容としている。
チラシ３のサイズは一般的にＡ４判とし、該チラシ３の表面に挨拶文を、そして裏面に宣伝・広告内容を記述している。
勿論、チラシ３を２枚で構成し、夫々のチラシ３，３に挨拶文と宣伝・広告内容を表示する場合もある。
【００１７】
このように、封筒１には宛名台紙４と透明袋５に入れたマスク２、及び挨拶文及び宣伝・広告内容を表示したチラシ３を封入する。そして、該封筒１は受取人宛に郵送される。
ダイレクトメールとして郵送される封筒１は、取引のある顧客宛に、また、今後取引される可能性のある顧客宛に郵送することが出来る。
【００１８】
図２は本考案を示す他の実施例で、同図の８は封筒、９はマスク、１０はチラシをそれぞれ表わしている。封筒８は所定の長方形サイズを成し、この封筒８にマスク９及びチラシ１０が封入される。
該封筒８の表面には宛名は記載されておらず、道行く人々など、不特定多数の人々に配ることが出来る。
【００１９】
ここで、該チラシ１０には挨拶文と宣伝・広告内容が記載されている。すなわち、図１に示したチラシ３と同じような内容が記述され、マスク９が入っている封筒８を受け取った人は、商品を購入する顧客に成る場合もあり得る。
従来から道行く人にティッシュを配布する光景はよく見かけているが、コロナウイルスの感染が流行している今日、マスクの価値は高い。
【符号の説明】
【００２０】
１   封筒
２   マスク
３   チラシ
４   宛名台紙
５   透明袋
６   受取人表示空間
７   送り主表示空間
８   封筒
９   マスク
10   チラシ
【図１】
0003228928.tif 000003
【図２】
0003228928.tif 000004
【手続補正書】
【提出日】令和2年8月17日(2020.8.17)
【手続補正１】
【補正対象書類名】実用新案登録請求の範囲
【補正対象項目名】全文
【補正方法】変更
【補正の内容】
【実用新案登録請求の範囲】
【請求項１】
所定の人又は企業へ販売する商品や提供するサービスを表示したチラシを郵送するダイレクトメールにおいて、該ダイレクトメールは受取人表示部と送り主表示部を設けた封筒を構成し、該封筒にはマスク、販売商品又は提供するサービスを説明すると共に挨拶文を記載したチラシ、及び受取人表示と送り主表示を記載した宛名台紙を同封したことを特徴とするマスクを収容したダイレクトメール用封筒。
【請求項２】
上記チラシの表面には挨拶文を記載し、裏面には販売する商品の説明又は提供するサービスの内容を記載した請求項１記載のマスクを収容したダイレクトメール用封筒。
【請求項３】
上記チラシを２枚とし、一方に挨拶文を記載し、他方には販売する商品の説明又は提供するサービスの内容を記載した請求項１記載のマスクを収容したダイレクトメール用封筒。
【請求項４】
上記封筒の受取人表示部と送り主表示部を透明シートで構成し、
宛名台紙に記載した受取人の住所、氏名、及び送り主の住所、氏名が受取人表示部と送り主表示部を通して見えるようにした請求項１、請求項２、又は請求項３記載のマスクを収容したダイレクトメール用封筒。
【請求項５】
道行く人などの不特定の人に販売する商品や提供するサービスを表示したチラシ入れて配る封筒において、該封筒にはマスク、販売商品又は提供するサービスを説明すると共に挨拶文を記載したチラシを同封したことを特徴とするマスクを収容した封筒。